(57)【要約】【課題】  容器とヒンジキャップを簡単に分別廃棄できるヒンジキャップにおいて、キャップの打栓時に、上蓋の外周壁の変形を防止するとともに、上蓋がキャップ本体に対して沈み込むことを防止して、キャップの破損を防止でき、また、開蓋の際に上蓋を少ない開蓋力で開蓋でき、シャワー後に水がキャップ内に溜まらないようにしたヒンジキャップを提供すること。【解決手段】  容器の口筒部に取着され、キャップ本体と上蓋とからなるヒンジキャップにおいて、キャップ本体は、注出筒と、リング状の上壁と、外筒と、外周筒部とを具え、上壁の上面には、蓋係合部の内側にシール凹部が凹設され、上蓋は、頂壁と、頂壁の周縁に垂設され、外周下端の所定の位置にヒンジが連設される外周壁とを具え、頂壁の下面には、キャップ本体の注出筒の内周に挿入される密封リングと、密封リングと外周壁との間に垂設され、下端部がキャップ本体の上壁のシール凹部に嵌合するシール筒壁とを具えていることを特徴とする。【選択図】  図１
2010030656.tif 000002
【特許請求の範囲】
【請求項１】
容器の口筒部に取着され、キャップ本体と上蓋とからなるヒンジキャップにおいて、
キャップ本体は、注出筒と、注出筒の外周に連設されるリング状の上壁と、上壁外縁に垂設される外筒と、外筒外周に一定の間隔をもって連設され、上端外周の所定位置にヒンジを連設する外周筒部とを具え、
上壁の上面には、外縁に蓋係合部が突設されるとともに、蓋係合部の内側にシール凹部が凹設され、
上蓋は、頂壁と、頂壁の周縁に垂設され、外周下端の所定の位置にヒンジが連設される外周壁とを具え、
頂壁の下面には、キャップ本体の注出筒の内周に挿入される密封リングと、密封リングと外周壁との間に垂設され、下端部がキャップ本体の上壁のシール凹部に嵌合するシール筒壁とを具えていることを特徴とするヒンジキャップ。
【請求項２】
シール凹部は、蓋係合部の内周面から連なる内面と、底面と、外面とを具え、内面と外面によりシール筒壁の下端部を挟み、底面がシール筒壁の下面に当接するように形成されていることを特徴とする請求項１記載のヒンジキャップ。
【請求項３】
蓋係合部は、上端から下端に延びるスリットが複数配設していることを特徴とする請求項１または２記載のヒンジキャップ。
【請求項４】
外周壁とシール筒壁との間に、複数の補強リブが配設されていることを特徴とする請求項１〜３のいずれかに記載されたヒンジキャップ。
【発明の詳細な説明】
【技術分野】
【０００１】
本発明は、ヒンジキャップ、とくに、廃棄時に、容器から簡単に分別できるとともに、キャップを加熱殺菌された内容液を充填した容器に打栓した後に、冷却および洗浄のため温水、または冷却水をシャワーした際にキャップ内に水が吸引され、溜まることを防止するとともに、使用する際に、簡単に開蓋することができるようにしたヒンジキャップに関するものである。
【背景技術】
【０００２】
内容液を充填した容器口筒部に取着するヒンジキャップにおいて、内容液を全て使用した後に、上蓋をキャップ本体に対して引き下げ、キャップ本体の一部を切断し、変形させることによって、容器とヒンジキャップを簡単に分別廃棄できるヒンジキャップは、従来より知られている（例えば、特許文献１参照）。
【０００３】
また、加熱殺菌された内容液を充填した容器に打栓し、冷却および洗浄のため温水、または冷却水をシャワーした後、キャップ内に水が吸引され、溜まることを防止したヒンジキャップも、従来より知られている（例えば、特許文献２参照）。
【特許文献１】特開２００３−２０５９５５
【特許文献２】特開平１１−３５０６１号公報
【発明の開示】
【発明が解決しようとする課題】
【０００４】
しかしながら、上記特許文献１記載の従来のヒンジキャップは、容器への打栓時に、上からの力により、上蓋の外周壁の下部が押し込まれて外側に変形し、支えを失い、上蓋がキャップ本体に対して沈み込むことがあった。
このため、外周壁の下面が外筒（２）を押し込み、キャップ本体のスカート部（６）とを連結している橋絡部（１４ａ）を切断してしまうという問題があった。
【０００５】
上記特許文献２記載のヒンジキャップも、打栓時に、上蓋の外周壁の下部が押し込まれて外側に変形し、上蓋がキャップ本体に対して沈み込んで、外周壁内周とキャップ本体の蓋係合部外周とに傷ができて、液密に係合出来なくなり、シャワー時に水をキャップ内に侵入させ、溜めてしまうようになるという問題があった。
【０００６】
また、上蓋の外周壁内周とキャップ本体の蓋係合部外周が、液密に嵌合しているので、使用者が開蓋の際に大きな開蓋力が必要であるという問題があった。
【０００７】
本発明は、上記問題を解決することを課題とし、容器とヒンジキャップを簡単に分別廃棄できるヒンジキャップにおいて、キャップの打栓時に、上蓋の外周壁の変形を防止するとともに、上蓋がキャップ本体に対して沈み込んでしまうことを防止して、キャップの破損を防止でき、また、開蓋の際に上蓋を少ない開蓋力で開蓋できるとともに、シャワー後に水がキャップ内に溜まらないようにしたヒンジキャップを提供することを目的とする。
【課題を解決するための手段】
【０００８】
本発明は、上記の課題を解決するため、ヒンジキャップとして、容器の口筒部に取着され、キャップ本体と上蓋とからなるヒンジキャップにおいて、キャップ本体は、注出筒と、注出筒の外周に連設されるリング状の上壁と、上壁外縁に垂設される外筒と、外筒外周に一定の間隔をもって連設され、上端外周の所定位置にヒンジを連設する外周筒部とを具え、上壁の上面には、外縁に蓋係合部が突設されるとともに、蓋係合部の内側にシール凹部が凹設され、上蓋は、頂壁と、頂壁の周縁に垂設され、外周下端の所定の位置にヒンジが連設される外周壁とを具え、頂壁の下面には、キャップ本体の注出筒の内周に挿入される密封リングと、密封リングと外周壁との間に垂設され、下端部がキャップ本体の上壁のシール凹部に嵌合するシール筒壁とを具えていることを特徴とする構成を採用する。
【０００９】
キャップ本体の実施例として、シール凹部は、蓋係合部の内周面から連なる内面と、底面と、外面とを具え、内面と外面によりシール筒壁の下端部を挟み、底面がシール筒壁の下面に当接するように形成されていることを特徴とする構成、または、蓋係合部は、上端から下端に延びるスリットが複数配設していることを特徴とする構成を採用する。
【００１０】
上蓋の実施例として、外周壁とシール筒壁との間に、複数の補強リブが配設されていることを特徴とする構成を採用する。
【発明の効果】
【００１１】
閉蓋時に、上蓋のシール筒壁とキャップ本体のシール凹部が嵌合し、支えとなるので、打栓時に、上蓋の外周壁が外側に変形することを防止するとともに、上蓋がキャップ本体に対して沈み込むことを防止でき、ヒンジキャップ内に傷を作ることを防止することができる。
【００１２】
上蓋のシール筒壁とキャップ本体のシール凹部が嵌合しているので、液密がしっかりと維持されるとともに、上蓋のシール筒壁とキャップ本体のシール凹部の外側のキャップ内の排水がなされることで、ヒンジキャップ内に水が溜まることを防止することができる。
また、上蓋の外周壁内周とキャップ本体の蓋係合部外周との嵌合を、液密にする必要がないので、ある程度弱い嵌合力に設定できるので、上蓋を開蓋する際には、上蓋の開封力を低減することができる。
【発明を実施するための最良の形態】
【００１３】
次に、本発明のヒンジキャップについて、図面を参照して説明する。
図１、２において、Ａは容器に打栓されるキャップ本体、Ｂはキャップ本体ＡにヒンジＣを介して一体成形された上蓋である。
【００１４】
キャップ本体Ａは、注出筒１と、注出筒１の外周に連設されるリング状の上壁２と、上壁２下面に垂設される内筒３と、上壁２外縁に垂設される外筒４と、外筒４外周に一定の間隔をもって連設され、上端外周の所定位置にヒンジＣを連設する外周筒部５とからなっている。
【００１５】
注出筒１の内周下部には、隔壁６が設けられており、隔壁６には、注出口を開口するための薄肉の弱化部７により区画された除去部８が設けられ、該除去部８には、プルリング９が立設されている。
【００１６】
上壁２の上面の外縁には、周設された蓋係合部１０が突設され、上壁２の上面の蓋係合部１０の内側には、周設されたシール凹部１１が凹設されている。
【００１７】
蓋係合部１０には、外周に、外筒４外周より縮径された縮径部１２と、その上端部に縮径部１２より拡径された膨出部１３とが形成されるとともに、図２（ｂ）に示すように、上端から下端に延びるスリット１４が複数配設されている。
【００１８】
シール凹部１１は、蓋係合部１０の内周面から連なる内面１１ａと、底面１１ｂと、外面１１ｃとが形成されている。
【００１９】
外筒４の内周下部には、容器の口筒部の外周と係合する係合突部１５が設けられている。
キャップ本体Ａは、打栓時に、内筒３外周と外筒４内周により、容器の口筒部を挟持するように、容器の口筒部に装着させる。
【００２０】
外筒４の下端外周と外周筒部５の下端内周は、外周筒部５のヒンジＣの反対側に設けられた連結片１６と、間隔をおいて複数配設された破断可能な弱化片１７とを介して連設されている。
【００２１】
上蓋Ｂは、頂壁２０と、頂壁２０の周縁に垂設され、外周下端の所定の位置にヒンジＣが連設される外周壁２１とを具えている。
【００２２】
頂壁２０下面には、中心側に垂設され、キャップ本体Ａの注出筒１の内周に挿入され、密封する密封リング２２と、密封リング２２と外周壁２１との間に垂設され、下端部がキャップ本体Ａの上壁２のシール凹部１１と蓋係合部１０内周に嵌合するシール筒壁２３とが配設されている。
【００２３】
頂壁２０下面の外周壁２１とシール筒壁２３との間には、閉蓋時にキャップ本体Ａの蓋係合部１０の上面に当接する高さに形成された複数の補強リブ２４が配設され、補強リブ２４により、外周壁２１とシール筒壁２３は連結されている。
【００２４】
外周壁２１の内周下端には、先端がキャップ本体Ａの蓋係合部１０の縮径部１２外面に係合するとともに、上側面が膨出部１３の下側面に係合する係合突部２５が設けられている。
【００２５】
シール筒壁２３の下端部は、閉蓋時に、外周面がキャップ本体Ａの蓋係合部１０内面とシール凹部１１の内面１１ａと当接するとともに、内周面がシール凹部１１の外面１１ｃと当接して挟むように係合し、また、下面がシール凹部１１の底面１１ｂに当接するように形成されている。
【００２６】
次に、本実施形態のヒンジキャップの作用効果について説明する。
本発明のヒンジキャップは、上蓋Ｂの外周壁２１内周とキャップ本体Ａの蓋係合部１０外周、および上蓋Ｂの密封リング２２とキャップ本体Ａの注出筒１を係合させるとともに、上蓋Ｂのシール筒壁２３とキャップ本体Ａの上壁２のシール凹部１１および蓋係合部１０内周とを嵌合させ、上蓋Ｂをキャップ本体Ａに閉蓋した後、加熱された内容液を充填した容器の口筒部に上方から打栓する。
ヒンジキャップ内には、図１に示すように、嵌合した上蓋Ｂのシール筒壁２３とキャップ本体Ａの上壁２のシール凹部１１より内側にキャップ内室ａ、外側にキャップ内室ｂが形成される。
【００２７】
打栓時に、上蓋Ｂのシール筒壁２３の下面がキャップ本体Ａの上壁２のシール凹部１１の底面１１ｂに当接することで、シール筒壁２３自体が支えとなり、打栓時に上壁Ｂに対して上から掛かる力により、外周壁２１下部が押し込まれて外側に変形し、支えを失い、上蓋Ｂがキャップ本体Ａに対して沈み込むことを防止しているので、外周壁２１の下面がキャップ本体Ａの外周筒部５の上面に当接して外周筒部５を押し込み、弱化片１７を切断することを防止することができる。
【００２８】
また、上蓋Ｂがキャップ本体Ａに対しての沈み込みを防止しているので、上蓋Ｂの密封リング２２が必要以上にキャップ本体Ａの注出筒１の内周に入り込み、弱化部７を破損することを防止することができる。
【００２９】
上壁Ｂのシール筒壁２３および頂壁２０と、外周壁２１とが補強リブ２４により連設されて補強され、外周壁２１が外側に変形することを防止しているので、打栓後に外周壁２１内周とキャップ本体Ａの蓋係合部１０外周との係合が外れ、上蓋Ｂが開蓋することを防止することができる。
【００３０】
打栓後に、温水シャワー、または冷却水がかけられると、ヒンジキャップ内が負圧になり、空気とともに水を吸込み、キャップ内室ｂ内に侵入しても、上蓋Ｂのシール筒壁２３の下端部がキャップ本体Ａの上壁２のシール凹部１１と嵌合し、密封されているので、キャップ内室ａに水が侵入することを防止することができる。
【００３１】
また、上蓋Ｂのシール筒壁２３の下端部の外周面、下面、内周面が、シール凹部１１の内面１１ａ、底面１１ｂ、外面１１ｃとそれぞれ係合して密封されるので、いずれかの部分に傷ができたとしても、他の部分でカバーされるので、密封性が良好である。
【００３２】
キャップ内室ｂに侵入した水は、キャップ本体Ａの蓋係合部１０に設けたスリット１４により外に流れ出るので、キャップ内室ｂ内に水が溜まることを防止することができる。
【００３３】
内容液を全て使用した後、ヒンジキャップを容器から取外して分別廃棄する際には、上蓋Ｂを引張ると、ヒンジＣを介してキャップ本体Ａの外周筒部５を引張り上げ、弱化片１７を破断するとともに、連結片１６を介して外筒４のヒンジＣの反対側を引張り、変形させ、容器と外筒４との係合を外すことができるので、キャップ本体Ａを簡単に容器の口筒部から外して分別廃棄することができる。
【００３４】
本発明のヒンジキャップは、ヒンジキャップ内への水の吸込みを防止しているのは、上蓋Ｂの外周壁２１内周とキャップ本体Ａの蓋係合部１０外周との係合だけではないので、外周壁２１の係合突部２５とキャップ本体Ａの蓋係合部１０外周との嵌合をそれ程強くする必要がなく、ある程度弱い嵌合力で設定できるので、上蓋Ｂを開蓋する際には、シール性と嵌合を兼ねた従来のヒンジキャップに比べ、上蓋の開封力を低減することができる。
【産業上の利用可能性】
【００３５】
本発明は、使用後に容器と分別廃棄を簡単にできるヒンジキャップにおいて、内容液を加熱充填した容器に、打栓した後、シャワー等により冷却した際に、水がキャップ内に吸引され、溜まることを防止できるとともに、上蓋の開封力を低減することができるので、各種の加熱充填する内容液の容器のヒンジキャップとして、広く利用することができる。
【図面の簡単な説明】
【００３６】
【図１】本発明のヒンジキャップの断面立面図である。
【図２】ヒンジキャップの開蓋状態の説明図で、（ａ）は上面図、（ｂ）はキャップ本体の蓋係合部の正面図である。
【符号の説明】
【００３７】
Ａ          キャップ本体
Ｂ          上蓋
Ｃ          ヒンジ
ａ、ｂ      キャップ内室
１          注出筒
２          上壁
３          内筒
４          外筒
５          外周筒部
６          隔壁
７          弱化部
８          除去部
９          プルリング
１０        蓋係合部
１１        シール凹部
１１ａ      内面
１１ｂ      底面
１１ｃ      外面
１２        縮径部
１３        膨出部
１４        スリット
１５、２５  係合突部
１６        連結片
１７        弱化片
２０        頂壁
２１        外周壁
２２        密封リング
２３        シール筒壁
２４        補強リブ
【図１】
2010030656.tif 000003
【図２】
2010030656.tif 000004